【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
フレーム部材と、
該フレーム部材に取り付けられるエアバッグモジュールと、
該エアバッグモジュールの展開方向を案内する案内部材と、
該案内部材を前記フレーム部材に取り付けるための取付部材と、を備え、
該取付部材は、前記案内部材を収容する収容部を有する本体部を備え、
前記フレーム部材には、前記取付部材の前記本体部が挿入されて嵌合する取付孔が形成されていることを特徴とするエアバッグモジュール装備シート。
【請求項２】
前記取付孔は、前記フレーム部材において、前記エアバッグモジュールを前記フレーム部材に取り付けるモジュール取付手段とは異なる位置に形成されており、
前記収容部は、前記案内部材の端部を内部に保持する保持空間であり、
前記取付部材は、前記保持空間に前記案内部材の端部を保持した状態で、前記取付孔に挿通されていることを特徴とする請求項１に記載のエアバッグモジュール装備シート。
【請求項３】
前記取付孔は、前記モジュール取付手段よりもシート前側に設けられていることを特徴とする請求項２に記載のエアバッグモジュール装備シート。
【請求項４】
前記取付部材は、前記取付孔の内面に当接する孔当接部と、該孔当接部から外側に向かって張り出したフランジ部と、を備え、
前記フランジ部の少なくとも一部は、前記エアバッグモジュール側から前記フレーム部材側に向かって、前記エアバッグモジュールを構成する部材によって押さえ付けられていることを特徴とする請求項１乃至３のいずれか一項に記載のエアバッグモジュール装備シート。
【請求項５】
前記フランジ部は、前記フレーム部材よりもシート幅方向において外側に配置され、
前記孔当接部は、前記取付孔に挿通されていることを特徴とする請求項４に記載のエアバッグモジュール装備シート。
【請求項６】
前記取付部材の前記本体部の外面のうち、少なくともシート後側の外面には、前記取付孔の縁部を位置決めする突起が形成されていることを特徴とする請求項１乃至５のいずれか一項に記載のエアバッグモジュール装備シート。
【請求項７】
前記案内部材の少なくとも一部は、前記フレーム部材よりもシート幅方向において内側に配置され、
前記取付孔は、前記フレーム部材をシート幅方向に貫通していることを特徴とする請求項１乃至６のいずれか一項に記載のエアバッグモジュール装備シート。
【請求項８】
前記フレーム部材は、左右に離間して配設され上下方向に延在しており、
前記フレーム部材には、左右の前記フレーム部材を架設する架設部材を係止するための係止部が設けられ、
前記取付部材は、前記フレーム部材において、前記係止部と異なる位置に配置されていることを特徴とする請求項１乃至７のいずれか一項に記載のエアバッグモジュール装備シート。
【請求項９】
前記取付孔は、前記フレーム部材の上端側と下端側に一対設けられ、
前記架設部材の少なくとも一部は、一対の前記取付孔の上下方向における間に配置されていることを特徴とする請求項８に記載のエアバッグモジュール装備シート。
【請求項１０】
前記取付孔は、前記フレーム部材の上下方向において複数配設され、
複数の前記取付孔は、同形状をなしていることを特徴とする請求項１乃至９のいずれか一項に記載のエアバッグモジュール装備シート。
【請求項１１】
前記フレーム部材に載置されたクッションパッドと、
前記フレーム部材及び前記クッションパッドを覆う表皮と、を備え、
前記案内部材は、前記取付部材の前記本体部から延出して前記表皮に取り付けられていることを特徴とする請求項１乃至１０のいずれか一項に記載のエアバッグモジュール装備シート。
【請求項１２】
前記表皮は、前記シートのシートバックの土手部を座面側から被覆する前面マチ部と、側面側から被覆する側面マチ部と、を有し、
前記土手部の膨出した頂点において、前記前面マチ部の端部と前記側面マチ部の端部とが縫い合わされて、破断部を形成し、
前記破断部には、前記案内部材が共縫いされていることを特徴とする請求項１１に記載のエアバッグモジュール装備シート。
【請求項１３】
前記表皮の前記破断部は、上下方向に形成され、
前記案内部材は、上下方向に延びる平面を形成するとともに、上下方向の上端側と下端側で前記取付部材に保持されていることを特徴とする請求項１２に記載のエアバッグモジュール装備シート。
【請求項１４】
前記フレーム部材は、左右の前記フレーム部材の上端部を連結する上部フレームをさらに有し、
前記取付孔は、前記上部フレームと前記架設部材との間に配置されていることを特徴とする請求項８に記載のエアバッグモジュール装備シート。
【請求項１５】
前記取付部材は、前記フレーム部材に直接取り付けられ、
前記収容部と前記取付孔とが同一水平面上に配置されていることを特徴とする請求項１乃至１４のいずれか一項に記載のエアバッグモジュール装備シート。
【手続補正２】
【補正対象書類名】明細書
【補正対象項目名】発明の名称
【補正方法】変更
【補正の内容】
【発明の名称】エアバッグモジュール装備シート
【手続補正３】
【補正対象書類名】明細書
【補正対象項目名】０００１
【補正方法】変更
【補正の内容】
【０００１】
本発明は、エアバッグモジュール装備シートに係り、特に、エアバッグの展開方向を案内する案内部材を取り付けるための取付部材を備えたエアバッグモジュール装備シートに関する。
【手続補正４】
【補正対象書類名】明細書
【補正対象項目名】０００６
【補正方法】変更
【補正の内容】
【０００６】
本発明は、上記の課題に鑑みてなされたものであり、本発明の目的は、取付部材と案内部材との接続状態を容易に確認可能な取付部材を提供することにある。
また、本発明の目的は、案内部材を取り付ける取付部材をサイドフレームに容易に取り付け可能なエアバッグモジュール装備シートを提供することにある。
【手続補正５】
【補正対象書類名】明細書
【補正対象項目名】０００７
【補正方法】変更
【補正の内容】
【０００７】
前記課題は、本願発明のエアバッグモジュール装備シートによれば、フレーム部材と、該フレーム部材に取り付けられるエアバッグモジュールと、該エアバッグモジュールの展開方向を案内する案内部材と、該案内部材を前記フレーム部材に取り付けるための取付部材と、を備え、該取付部材は、前記案内部材を収容する収容部を有する本体部を備え、前記フレーム部材には、前記取付部材の前記本体部が挿入されて嵌合する取付孔が形成されていること、により解決される。
【手続補正６】
【補正対象書類名】明細書
【補正対象項目名】０００８
【補正方法】変更
【補正の内容】
【０００８】
上記構成によれば、本体部の収容部に案内部材を収容させた本体部をフレーム部材に形成された取付孔に挿入して嵌合することで、取付部材をフレーム部材に取り付けることができ、取付部材及び案内部材を容易にフレーム部材に取り付けることが可能となる。
【手続補正７】
【補正対象書類名】明細書
【補正対象項目名】０００９
【補正方法】変更
【補正の内容】
【０００９】
また、前記取付孔は、前記フレーム部材において、前記エアバッグモジュールを前記フレーム部材に取り付けるモジュール取付手段とは異なる位置に形成されており、前記収容部は、前記案内部材の端部を内部に保持する保持空間であり、前記取付部材は、前記保持空間に前記案内部材の端部を保持した状態で、前記取付孔に挿通されていると好ましい。
また、前記取付孔は、前記モジュール取付手段よりもシート前側に設けられていると好適である。
【手続補正８】
【補正対象書類名】明細書
【補正対象項目名】００１０
【補正方法】変更
【補正の内容】
【００１０】
また、前記取付部材は、前記取付孔の内面に当接する孔当接部と、該孔当接部から外側に向かって張り出したフランジ部と、を備え、前記フランジ部の少なくとも一部は、前記エアバッグモジュール側から前記フレーム部材側に向かって、前記エアバッグモジュールを構成する部材によって押さえ付けられていると好適である。
【手続補正９】
【補正対象書類名】明細書
【補正対象項目名】００１１
【補正方法】変更
【補正の内容】
【００１１】
また、前記フランジ部は、前記フレーム部材よりもシート幅方向において外側に配置され、前記孔当接部は、前記取付孔に挿通されていると好適である。
また、前記取付部材の前記本体部の外面のうち、少なくともシート後側の外面には、前記取付孔の縁部を位置決めする突起が形成されていると好適である。
【手続補正１０】
【補正対象書類名】明細書
【補正対象項目名】００１２
【補正方法】変更
【補正の内容】
【００１２】
また、前記案内部材の少なくとも一部は、前記フレーム部材よりもシート幅方向において内側に配置され、前記取付孔は、前記フレーム部材をシート幅方向に貫通していると好適である。
また、前記フレーム部材は、左右に離間して配設され上下方向に延在しており、前記フレーム部材には、左右の前記フレーム部材を架設する架設部材を係止するための係止部が設けられ、前記取付部材は、前記フレーム部材において、前記係止部と異なる位置に配置されていると好適である。
【手続補正１１】
【補正対象書類名】明細書
【補正対象項目名】００１３
【補正方法】変更
【補正の内容】
【００１３】
また、前記取付孔は、前記フレーム部材の上端側と下端側に一対設けられ、前記架設部材の少なくとも一部は、一対の前記取付孔の上下方向における間に配置されていると好適である。
また、前記取付孔は、前記フレーム部材の上下方向において複数配設され、複数の前記取付孔は、同形状をなしていると好適である。
【手続補正１２】
【補正対象書類名】明細書
【補正対象項目名】００１４
【補正方法】変更
【補正の内容】
【００１４】
また、前記フレーム部材に載置されたクッションパッドと、前記フレーム部材及び前記クッションパッドを覆う表皮と、を備え、前記案内部材は、前記取付部材の前記本体部から延出して前記表皮に取り付けられていると好適である。
また、前記表皮は、前記シートのシートバックの土手部を座面側から被覆する前面マチ部と、側面側から被覆する側面マチ部と、を有し、前記土手部の膨出した頂点において、前記前面マチ部の端部と前記側面マチ部の端部とが縫い合わされて、破断部を形成し、前記破断部には、前記案内部材が共縫いされていると好適である。
【手続補正１３】
【補正対象書類名】明細書
【補正対象項目名】００１５
【補正方法】変更
【補正の内容】
【００１５】
また、前記表皮の前記破断部は、上下方向に形成され、前記案内部材は、上下方向に延びる平面を形成するとともに、上下方向の上端側と下端側で前記取付部材に保持されていると好適である。
また、前記フレーム部材は、左右の前記フレーム部材の上端部を連結する上部フレームをさらに有し、前記取付孔は、前記上部フレームと前記架設部材との間に配置されていると好適である。
【手続補正１４】
【補正対象書類名】明細書
【補正対象項目名】００１６
【補正方法】変更
【補正の内容】
【００１６】
また、前記取付部材は、前記フレーム部材に直接取り付けられ、前記収容部と前記取付孔とが同一水平面上に配置されていると好適である。
【手続補正１５】
【補正対象書類名】明細書
【補正対象項目名】００１７
【補正方法】変更
【補正の内容】
【００１７】
本発明によれば、案内部材を取り付ける取付部材をサイドフレームに容易に取り付け可能なエアバッグモジュール装備シートを提供することができる。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】